(57)【要約】【課題】サイマル放送であるか否かをより確実に判定することができる放送受信装置を提供する。【解決手段】第１のサービスと第２のサービスとを含む放送波を受信して前記第１のサービスに含まれる映像音声および前記第２のサービスに含まれる映像音声のいずれかを出力する放送受信回路であって、第１のサービスに含まれる第１の音声データから、第１の無音区間と、第１のインターバル情報とを抽出する第１抽出部と、第２のサービスに含まれる第２の音声データから、第２の無音区間と、第２のインターバル情報とを抽出する第２抽出部と、第１のインターバル情報と、第２のインターバル情報とを比較することにより、放送波がサイマル放送であるかどうかの判定を行うサイマル放送判定部と、サイマル放送判定部での判定結果に基づいて、第１の映像音声と第２の映像音声とのいずれかを出力する出力の切り替えを行う切り替え制御部とを備えることを特徴とする。【選択図】図１
2010114777.tif 000002
【特許請求の範囲】
【請求項１】
第１のサービスと第２のサービスとを含む放送波を受信して前記第１のサービスに含まれる映像音声および前記第２のサービスに含まれる映像音声のいずれかを出力する放送受信回路であって、
前記第１のサービスに含まれる第１の音声データから、音声の大きさを示す音声レベルが予め定められた音声レベル以下にある区間を示す第１の無音区間と、前記第１の無音区間から当該第１の無音区間の次の無音区間までの時間を示す第１のインターバル情報とを抽出する第１抽出部と、
前記第２のサービスに含まれる第２の音声データから、音声の大きさを示す音声レベルが予め定められた音声レベル以下にある区間を示す第２の無音区間と、前記第２の無音区間から当該第２の無音区間の次の無音区間までの時間を示す第２のインターバル情報とを抽出する第２抽出部と、
前記第１のインターバル情報と、前記第２のインターバル情報とを比較することにより、前記放送波がサイマル放送であるかどうかの判定を行うサイマル放送判定部と、
前記サイマル放送判定部での判定結果に基づいて、前記第１の映像音声と前記第２の映像音声とのいずれかを出力する出力の切り替えを行う切り替え制御部とを備える
ことを特徴とする放送受信回路。
【請求項２】
前記サイマル放送判定部は、
前記第１のインターバル情報に示される時間と、前記第２のインターバル情報に示される時間を比較し、類似度が閾値より高い場合に、前記放送波がサイマル放送であると判定する
請求項１に記載の放送受信回路。
【請求項３】
前記サイマル放送判定部は、さらに、
前記第１のインターバル情報に示される時間の有音区間における前記第１の音声データを抽出し、
前記第２のインターバル情報に示される時間の有音区間における前記第２の音声データを抽出し、
抽出した当該第１の音声データ、および、抽出した当該第２の音声データを比較した結果の類似度を示す有音区間類似度情報に基いて、前記放送波がサイマル放送に該当するか判定を行う
請求項１に記載の放送受信回路。
【請求項４】
前記切り替え制御部は、さらに、
前記第１のサービスに含まれる映像音声データから前記第２のサービスに含まれる映像音声データに出力の切り替えを行う際に、前記第１抽出部で抽出した前記第１の音声データの第１の無音区間と、前記第２抽出部で抽出した前記第２音声データで当該第１の無音区間と対となる第２の無音区間との差分情報に基づいて、
前記第１音声データから前記第２音声データに音声出力の切り替えを行う間の音声出力をミュート処理する
ことを特徴とする請求項１〜３のいずれかに記載の放送受信回路。
【請求項５】
前記切り替え制御部は、
前記第１の音声データから前記第２の音声データに音声出力の切り替えを行う間の音声出力をミュート処理した際に、
前記第１のサービスに含まれる映像データから前記第２のサービスに含まれる映像データに映像出力の切り替えを行う間の映像出力を、
前記第１のサービスに含まれる映像データの映像の一画面である静止画を出力する静止画出力処理を行う
ことを特徴とする請求項３に記載の放送受信回路。
【請求項６】
第１のサービスと第２のサービスとを含む放送波を受信して前記第１のサービスに含まれる映像音声および前記第２のサービスに含まれる映像音声のいずれかを出力する放送受信装置であって、
前記第１のサービスに含まれる第１の音声データから、音声の大きさを示す音声レベルが予め定められた音声レベル以下にある区間を示す第１の無音区間と、前記第１の無音区間から当該第１の無音区間の次の無音区間までの時間を示す第１のインターバル情報とを抽出する第１抽出部と、
前記第２のサービスに含まれる第２の音声データから、音声の大きさを示す音声レベルが予め定められた音声レベル以下にある区間を示す第２の無音区間と、前記第２の無音区間から当該第２の無音区間の次の無音区間までの時間を示す第２のインターバル情報とを抽出する第２抽出部と、
前記第１のインターバル情報と、前記第２のインターバル情報とを比較することにより、前記放送波がサイマル放送であるかどうかの判定を行うサイマル放送判定部と、
前記サイマル放送判定部での判定結果に基づいて、前記第１の映像音声と前記第２の映像音声とのいずれかを出力する出力の切り替えを行う切り替え制御部とを備える
ことを特徴とする放送受信装置。
【請求項７】
前記サイマル放送判定部は、
前記第１のインターバル情報に示される時間と、前記第２のインターバル情報に示される時間を比較し、類似度が閾値より高い場合に、前記放送波がサイマル放送であると判定する
請求項６に記載の放送受信装置。
【請求項８】
第１のサービスと第２のサービスとを含む放送波を受信して前記第１のサービスに含まれる映像音声および前記第２のサービスに含まれる映像音声のいずれかを出力する放送受信方法であって、
前記第１のサービスに含まれる第１の音声データから、音声の大きさを示す音声レベルが予め定められた音声レベル以下にある区間を示す第１の無音区間と、前記第１の無音区間から当該第１の無音区間の次の無音区間までの時間を示す第１のインターバル情報とを抽出する第１抽出ステップと、
前記第２のサービスに含まれる第２の音声データから、音声の大きさを示す音声レベルが予め定められた音声レベル以下にある区間を示す第２の無音区間と、前記第２の無音区間から当該第２の無音区間の次の無音区間までの時間を示す第２のインターバル情報とを抽出する第２抽出ステップと、
前記第１のインターバル情報と、前記第２のインターバル情報とを比較することにより、前記放送波がサイマル放送であるかどうかの判定を行うサイマル放送判定ステップと、
前記サイマル放送判定ステップでの判定結果に基づいて、前記第１の映像音声と前記第２の映像音声とのいずれかを出力する出力の切り替えを行う切り替え制御ステップとを含む
ことを特徴とする放送受信方法。
【請求項９】
第１のサービスと第２のサービスとを含む放送波を受信して前記第１のサービスに含まれる映像音声および前記第２のサービスに含まれる映像音声のいずれかを出力するためのプログラムであって、
前記第１のサービスに含まれる第１の音声データから、音声の大きさを示す音声レベルが予め定められた音声レベル以下にある区間を示す第１の無音区間と、前記第１の無音区間から当該第１の無音区間の次の無音区間までの時間を示す第１のインターバル情報とを抽出する第１抽出ステップと、
前記第２のサービスに含まれる第２の音声データから、音声の大きさを示す音声レベルが予め定められた音声レベル以下にある区間を示す第２の無音区間と、前記第２の無音区間から当該第２の無音区間の次の無音区間までの時間を示す第２のインターバル情報とを抽出する第２抽出ステップと、
前記第１のインターバル情報と、前記第２のインターバル情報とを比較することにより、前記放送波がサイマル放送であるかどうかの判定を行うサイマル放送判定ステップと、
前記サイマル放送判定ステップでの判定結果に基づいて、前記第１の映像音声と前記第２の映像音声とのいずれかを出力する出力の切り替えを行う切り替え制御ステップと
をコンピュータに実行させるためのプログラム。
【発明の詳細な説明】
【技術分野】
【０００１】
本発明は、放送受信回路および放送受信装置に関し、特に、デジタル放送等での複数種類の受信サービスを切り替えて視聴することができる放送受信回路および放送受信装置に関する。
【背景技術】
【０００２】
日本の地上デジタルテレビ放送では、１チャンネル分の帯域が１３セグメントに分割され、携帯電話などの移動体受信機での安定受信を目的として、その１３セグメント中の１セグメントだけ利用する１セグメント部分受信サービス（以下、１セグ放送と呼ぶ）が行われている。また、１セグ放送で利用された１セグメントを除く残りの１２セグメントを利用して、１セグ放送には安定受信では劣るものの、固定テレビ受信機での高精細（ハイビジョン）番組の受信を目的としたサービス（以下、１２セグ放送と呼ぶ）が行われている。この１２セグ放送と１セグ放送とでは、互いに異なる種類の符号化方式が用いられているものの、主に、同時刻に同一内容の番組が放送されている。このような放送形態は、サイマル放送と呼ばれる。
【０００３】
このサイマル放送の特徴を利用してデジタル放送を受信する、車載用のデジタル放送受信装置がある。車載用のデジタル受信装置では、デジタル放送の受信状態等に応じて、１２セグ放送と１セグ放送とを切り替えてモニタ等の表示装置に出力することで、デジタル放送の受信状態によらず視聴対象の番組の視聴の継続を可能とする技術が存在する。
【０００４】
しかしながら、日本国内では、放送運用上、サイマル放送を義務化する規制は存在しないため、１２セグ放送と１セグ放送とで、同時刻に異なる内容の番組が放送されている可能性がある。そのため、サイマル放送が行われていることを前提として、無条件に１２セグ放送と１セグ放送とを切り替えて出力した場合には、視聴対象の番組から視聴者が意図しない番組に切り替わる可能性がある。その場合、視聴者に違和感を与えてしまうことになる。
【０００５】
そこで、このような問題点を考慮し、同一チャンネルにおいてサイマル放送が行われているか否かを判定し、サイマル放送が行われていると判定した場合に、１２セグ放送と１セグ放送とを切り替えて出力する放送受信装置が提案されている（例えば、特許文献１）。
【０００６】
特許文献１では、１２セグ放送に含まれる音声データの無音区間と、１セグ放送に含まれる音声データの無音区間とを比較することでサイマル放送であるか否かを検出している。ここで、特許文献１では、所定時間以上の期間において無音状態が継続される状況が次のように想定されている。すなわち、予め放送波に含まれるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号にサイマル放送状態の有無が制御情報として伝送されている状況が想定されている。そして、受信機側では、この制御情報を参照する状況、または、１２セグ放送および１セグ放送ともに受信状態が悪くデコードエラーが発生している状況等が想定されている。
【特許文献１】特開２００７−２９５４６８号公報
【発明の開示】
【発明が解決しようとする課題】
【０００７】
しかしながら、上記特許文献１の放送受信装置では、サイマル放送が行われているか否かを確実に判定することができない。
【０００８】
つまり、上記特許文献１では、単にＴＭＣＣ信号に含まれる部分受信フラグ（Ｂ２７／Ｂ２６）の情報だけで部分受信ありと検出し、サイマル放送が行われていると判定する技術が開示されている。しかし、全ての放送局がＴＭＣＣ信号にサイマル放送の実施状況を示す情報を設定するとは限らないため、サイマル放送が行われていても、サイマル放送が行われていることが確実に特定できない。
【０００９】
また、上記特許文献１では、無音状態が継続される状況として、１２セグ放送または１セグ放送向けの放送がされていない状況と、１２セグ放送および１セグ放送ともに受信状態が悪くデコードエラーが発生する状況とだけが想定されている。しかし、それら状況の他にも番組内容によっては、サイマル放送状態であったとしても、無音状態が継続される可能性がある。その場合には、デコードエラーと区別することが困難であり、サイマル放送が行われていない場合でもサイマル放送と特定してしまう。
【００１０】
そこで、本発明は、上記課題を解決するためになされたもので、サイマル放送であるか否かをより確実に判定することができる放送受信装置および放送受信回路を提供することを目的とする。
【課題を解決するための手段】
【００１１】
上記目的を達成するために、本発明に係る放送受信装置は、第１のサービスと第２のサービスとを含む放送波を受信して前記第１のサービスに含まれる映像音声および前記第２のサービスに含まれる映像音声のいずれかを出力する放送受信回路であって、前記第１のサービスに含まれる第１の音声データから、音声の大きさを示す音声レベルが予め定められた音声レベル以下にある区間を示す第１の無音区間と、前記第１の無音区間から当該第１の無音区間の次の無音区間までの時間を示す第１のインターバル情報とを抽出する第１抽出部と、前記第２のサービスに含まれる第２の音声データから、音声の大きさを示す音声レベルが予め定められた音声レベル以下にある区間を示す第２の無音区間と、前記第２の無音区間から当該第２の無音区間の次の無音区間までの時間を示す第２のインターバル情報とを抽出する第２抽出部と、前記第１のインターバル情報と、前記第２のインターバル情報とを比較することにより、前記放送波がサイマル放送であるかどうかの判定を行うサイマル放送判定部と、前記サイマル放送判定部での判定結果に基づいて、前記第１の映像音声と前記第２の映像音声とのいずれかを出力する出力の切り替えを行う切り替え制御部とを備えることを特徴とする。
【００１２】
なお、本発明は、装置として実現するだけでなく、このような装置が備える処理手段を備える回路または集積回路として実現したり、その装置を構成する処理手段をステップとする方法として実現したり、それらステップをコンピュータに実行させるプログラムとして実現したりすることもできる。
【発明の効果】
【００１３】
本発明によれば、サイマル放送であるか否かをより確実に判定することができる放送受信装置および放送受信回路を実現することができる。
【発明を実施するための最良の形態】
【００１４】
（実施の形態１）
以下、図面を参照して、本発明に係る放送受信回路および放送受信装置について説明する。なお、以降、放送受信装置を車載用の放送受信装置として説明するが、車載用に限定的に利用されるものではなく、家庭用や携帯機器用などにも用いることが可能である。すなわち、本発明に係る放送受信装置は、以下の説明に限定されるものではなく、本発明の技術的範囲に属する限り、様々な形態を取り得るものとする。また、本発明に係る放送受信装置は、日本の地上デジタルテレビ放送の受信機能を有するものとして以下説明する。
【００１５】
日本の地上デジタルテレビ放送では、１チャンネル分の帯域を１３個のセグメントに分割し、そのうちの１２個セグメントを固定向けサービス用に、残りの１セグメントを携帯向けサービス（例えば移動体受信端末）用に割り付けている。すなわち、日本の地上デジタルテレビ放送では、固定向けサービスである１２セグ放送と携帯向けサービスである１セグ放送とが行われている。
【００１６】
１２セグ放送では、映像および音声ともＭＰＥＧ２の符号化方式が採用されている。一方、１セグ放送では、映像についてはＨ．２６４の符号化方式が採用され、音声については低ビットレートでも高音域のサンプリングの可能なＭＰＥＧ（Ｍｏｖｉｎｇ  Ｐｉｃｔｕｒｅ  Ｅｘｐｅｒｔ  Ｇｒｏｕｐ）２  ＡＡＣ＋ＳＢＲの符号化方式が採用されている。
【００１７】
ここで、１２セグ放送の符号化データは、１セグ放送の符号化データと比較して、高品質であるが、高ビットレートであるため、ノイズ耐性が弱く、放送局からの距離が離れたり、周囲の障害物の影響を受けやすい。そのため、移動体受信端末で１２セグ放送を受信する場合には、良好な受信を継続することが困難な場合がある。これに対して、１セグ放送の符号化データは、１２セグ放送の符号化データと比較して、ビットレートが低く、ノイズ耐性が強いことから、放送局からの距離が離れたり、周囲に障害物がある場合であっても影響を受けにくい特徴がある。したがって、移動体受信端末で１セグ放送を受信する場合には、１２セグ放送を受信する場合に比べて良好な受信を継続することができる。
【００１８】
図１は、本発明に係る放送受信装置の構成を示すブロック図である。
本発明に係る放送受信装置２００では、テレビ放送受信アンテナ１０を介して１つのチャンネルに含まれる１２セグ放送と１セグ放送とを同時に受信し、受信した１２セグ放送と１セグ放送とにより同一番組が放送されているサイマル放送状態であるか否かを確実に検出する機能を有する。
【００１９】
放送受信装置２００は、図１に示すように、チューナ／復調部２０、トランスポートデコーダ３０、デマルチプレクサ４０、ＡＶデコーダ５０、第１音声データ特徴抽出部６０、第２音声データ特徴抽出部７０、サイマル放送判定部８０、視聴対象選択部９０および視聴切替制御部１００から構成される。
【００２０】
チューナ／復調部２０は、テレビ放送受信アンテナ１０で受信したＲＦ（Ｒａｄｉｏ  Ｆｒｅｑｕｅｎｓｙ）信号から、指定されたチャンネルの受信帯域に存在するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を抽出する。チューナ／復調部２０は、抽出したＯＦＤＭ信号の復調を行うことで、指定された特定のチャンネルについての放送波のデジタル信号を取り出す。チューナ／復調部２０は、このデジタル信号から、１２セグ放送と１セグ放送との両方を含む１３セグＴＳ（Ｔｒａｎｓｐｏｒｔ  Ｓｔｒｅａｍ）の形式で抽出して、トランスポートデコーダ３０に出力する。また、チューナ／復調部２０は、テレビ放送受信アンテナ１０で受信したＲＦ（Ｒａｄｉｏ  Ｆｒｅｑｕｅｎｓｙ）信号の受信電波感度情報を検出し、検出した受信電波感度情報を視聴対象選択部９０に出力する。
【００２１】
トランスポートデコーダ３０は、チューナ／復調部２０で抽出された１３セグＴＳから、１２セグＴＳと１セグＴＳとをそれぞれ抽出する。トランスポートデコーダ３０は、抽出した１２セグＴＳと１セグＴＳとを、デマルチプレクサ４０に出力する。
【００２２】
デマルチプレクサ４０は、トランスポートデコーダ３０から入力された１２セグＴＳから、１２セグ放送に対応する１２セグ用ビデオＥＳ（Ｅｌｅｍｅｎｔａｒｙ  Ｓｔｒｅａｍ）と１２セグ用オーディオＥＳとを抽出する。また、デマルチプレクサ４０は、トランスポートデコーダ３０から入力された１セグＴＳから、１セグ放送に対応する１セグ用ビデオＥＳと１セグ用オーディオＥＳとを抽出する。そして、デマルチプレクサ４０は、抽出した１２セグ用ビデオＥＳと１２セグ用オーディオＥＳと１セグ用ビデオＥＳと１セグ用オーディオＥＳとをＡＶデコーダ５０に供給する。
【００２３】
なお、図１では、トランスポートデコーダ３０において１２セグＴＳと１セグＴＳとの２本のストリームを抽出して生成し、さらに、デマルチプレクサ４０に出力しているが、それに限定されない。例えば、トランスポートデコーダ３０は、チューナ／復調部２０より受信した１３セグＴＳを１３セグＴＳの形式のままで出力し、デマルチプレクサ４０が１２セグ用ビデオＥＳおよび１２セグ用オーディオＥＳ、ならびに、１セグ用ビデオＥＳおよび１セグ用オーディオＥＳに分離しても良い。
【００２４】
ＡＶデコーダ５０は、１２セグ放送用の１２セグ用オーディオデコーダ５１および１２セグ用ビデオデコーダ５３、ならびに１セグ放送用の１セグ用オーディオデコーダ５２および１セグ用ビデオデコーダ５４から構成される。ＡＶデコーダ５０は、これら構成により１２セグ放送と１セグ放送とを同時にデコード処理することが可能である。
【００２５】
ここで、１２セグ用オーディオデコーダ５１は、デマルチプレクサ４０より入力されたＭＰＥＧ２−ＡＡＣ形式で符号化された１２セグ用オーディオＥＳのデコードを行う。１セグ用オーディオデコーダ５２は、デマルチプレクサ４０より入力されたＭＰＥＧ２−ＡＡＣ＋ＳＢＲ形式で符号化された１セグ用オーディオＥＳのデコードを行う。また、１２セグ用ビデオデコーダ５３は、デマルチプレクサ４０より入力されたＭＰＥＧ２−Ｖｉｄｅｏ形式で符号化された１２セグ用ビデオＥＳのデコードを行う。１セグ用ビデオデコーダ５４は、デマルチプレクサ４０より入力されたＨ．２６４形式で符号化された１セグ用ビデオＥＳのデコードを行う。
【００２６】
第１音声データ特徴抽出部６０は、１２セグ用オーディオデコーダ５１でデコードされ出力された１２セグ放送用の音声データ（以下、１２セグ音声データと記載。）から、１２セグ音声データの音声特徴データを生成して出力する。すなわち、第１音声データ特徴抽出部６０は、１２セグ用オーディオデコーダ５１より出力される１２セグ用音声データより、その音声データが有音状態であるか無音状態であるかのいずれかを判定して、その音声データに含まれる無音区間の抽出を行う。さらに、第１音声データ特徴抽出部６０は、その無音区間が出現するインターバル情報、すなわち、ある無音区間の終了時刻と次の無音区間の開始時刻の差分時間を示す無音区間インターバルを算出する。第１音声データ特徴抽出部６０は、抽出した無音区間と、算出したインターバル情報を含む１２セグ音声特徴データを出力する。
【００２７】
第２音声データ特徴抽出部７０は、１セグ用オーディオデコーダ５２でデコードされ出力された１セグ放送用の音声データ（以下、１セグ音声データと記載。）から、１セグ放送の音声データの音声特徴情報を生成して出力する。すなわち、第２音声データ特徴抽出部７０は、１セグ用オーディオデコーダ５２より出力される１セグ用音声データより、その音声データが有音状態であるか無音状態であるかのいずれかを判定して、その音声データに含まれる無音区間の抽出を行う。さらに、第２音声データ特徴抽出部７０は、その無音区間が出現するインターバル情報、すなわち、ある無音区間の終了時刻と次の無音区間の開始時刻の無音区間インターバルを示すインターバル情報を算出する。第２音声データ特徴抽出部７０は、抽出した無音区間と、算出したインターバル情報を含む１セグ音声特徴データを出力する。
【００２８】
サイマル放送判定部８０は、第１音声データ特徴抽出部６０から入力された１２セグ音声特徴データと、第２音声データ特徴抽出部７０から入力された１セグ音声特徴データとを比較する。サイマル放送判定部８０は、両方（１２セグと１セグ）の音声特徴データが類似する場合にはサイマル状態（サイマル有情報）を示し、両方の音声特徴データが類似しない場合にはサイマル未状態（サイマル無情報）を示すサイマル有無情報を出力する。
【００２９】
視聴対象選択部９０は、チューナ／復調部２０で検出した受信電波感度情報に基づき、
適切な視聴対象を１２セグ放送と１セグ放送との間で決定する。視聴対象選択部９０は、視聴対象の切り替えの必要の有無を示す視聴対象切替有無情報と、切り替え先の対象となる放送が、１２セグ放送と１セグ放送とのいずれかを示す切替先対象放送情報とを、視聴対象切替情報として出力する。
【００３０】
ここで、適切な視聴対象を選択する方法として、例えば、１２セグ放送と１セグ放送とも受信感度が良好な場合には、視聴者により高精細な映像を提供するため、１２セグ放送を視聴対象に選択するという方法がある。また、別の方法として、例えば１２セグ放送の映像にノイズが発生する程度まで受信感度が低下した場合は、１２セグ放送から１セグ放送に視聴対象を切り替える必要が有るという判断を行い、１セグ放送を視聴対象に選択する方法がある。また、別の選択する方法として、例えば視聴対象選択部９０に対してリモコン外部入力Ｉ／Ｆ経由で指定を行うことにより適切な視聴対象を選択する方法もある。
【００３１】
視聴切替制御部１００は、音声データ出力制御部１０１と、映像データ出力制御部１０２とから構成される。視聴切替制御部１００は、１２セグ放送の映像および音声情報、または１２セグ放送の映像および音声情報のいずれかをモニタおよびスピーカに出力する。
【００３２】
音声データ出力制御部１０１は、サイマル放送判定部８０から入力されたサイマル有無情報と、視聴対象選択部９０から入力された視聴対象切替情報とに基づき、１２セグ用オーディオデコーダ５１でデコードされた１２セグ用音声データと、１セグ用オーディオデコーダ５２でデコードされた１セグ用音声データとのいずれかを選択して、スピーカに音声データとして出力する。また、音声データ出力制御部１０１は、出力する音声データに対応する放送が１２セグ放送および１セグ放送のいずれかであるか示す放送種別情報と、音声データの出力と連動して映像データ出力を１２セグ映像と１セグ映像間で切り替えるための放送切り替えタイミング情報とを放送切替情報として映像データ出力制御部１０２に出力する。
【００３３】
映像データ出力制御部１０２は、音声データ出力制御部１０１から入力された放送切替情報に基づき、１２セグ用ビデオデコーダ５３でデコードされた１２セグ用映像データと１セグ用ビデオデコーダ５４でデコードされた１セグ用映像データとのいずれかを選択して、モニタに映像データとして出力する。
【００３４】
次に、サイマル放送判定部８０でサイマル放送に該当するか否かを判定するために、第１音声データ特徴抽出部６０において、１２セグ音声特徴データを、第２音声データ特徴抽出部７０において、１セグ音声特徴データを、それぞれ生成する方法の一例を説明する。
【００３５】
図２は、音声波形より音声特徴データを抽出する概念を説明するための図である。
実施の形態１では、上述したように、第１音声データ特徴抽出部６０は、１２セグ用オーディオデコーダ５１より出力される１２セグ用音声データより、その音声データが有音状態であるか無音状態であるかのいずれかを判定する。また、第２音声データ特徴抽出部７０は、１セグ用オーディオデコーダ５２より出力される１セグ用音声データより、その音声データが有音状態であるか無音状態であるかのいずれかを判定する。
【００３６】
図２に示すように、第１音声データ特徴抽出部６０は、１２セグ用オーディオデコーダ５１より出力された１２セグ用音声データを音声波形情報に変換し、その音声波形が無音状態に相当する音声レベル以下にある場合に、無音状態と判定する。それにより第１音声データ特徴抽出部６０は、無音区間の検出を行う。第２音声データ特徴抽出部７０は、１セグ用音声データの判定を１２セグ音声データと同様に行う。それにより、第２音声データ特徴抽出部７０は、無音区間の検出を行う。なお、無音状態の判定方法については、他の検出方法であっても構わない。
【００３７】
ここで、図２において、１２セグ用音声データとその波形が１セグ用音声データとその波形よりも遅れた時刻で記載されている。これは、現在日本国内で実施されているサイマル放送の運用がそうだからで、それにあわせた記載を図示している。
【００３８】
図３は、抽出した無音区間から音声特徴データを生成する方法について説明するための図である。
【００３９】
図３に示すＴａｂｌｅ（ａ）は、１２セグ用音声データを変換して得た音声波形より検出した無音区間に関する情報を抽出した１２セグ音声無音区間管理テーブルである。図３に示すＴａｂｌｅ（ｂ）は、１セグ用音声データを変換して得た音声波形より検出した無音区間に関する情報を抽出した１セグ音声無音区間管理テーブルである。
【００４０】
ここでは、抽出した無音区間に関する情報は、１２セグ音声データおよび１セグ音声データのそれぞれに対して、検出した順に昇順に割り当てた区間Ｎｏと、区間Ｎｏに該当する無音区間の開始時刻である無音区間開始時刻と、区間Ｎｏに該当する無音区間の終了時刻である無音区間終了時刻との３つの情報で管理している。なお、無音区間の表現方法については、無音区間開始時刻とその期間を表す情報との組み合わせで表現するなど、他の方法を用いても良い。
【００４１】
図３では、無音区間開始時刻と無音区間終了時刻とは、１６進数の数値で表現している。図３において、０ｘＦＦＦＦＦＦＦＦと記載されている項目に関しては、該当する無音区間が存在しなかったことを示している。
【００４２】
また、図３に示すＴａｂｌｅ（ｃ）は、図３に示すＴａｂｌｅ（ａ）より生成した１２セグ音声特徴データである。また、Ｔａｂｌｅ（ｃ）は、１２セグ音声特徴データに含まれる１２セグの音声無音区長と音声無音区間インターバルとを管理する１２セグ音声特徴データの管理テーブルでもある。
【００４３】
この１２セグ音声特徴データの管理テーブルで管理する情報は、図３に示すＴａｂｌｅ（ａ）、すなわち１２セグ音声無音区間管理テーブルより生成する。具体的には、図３のＴａｂｌｅ（ｃ）に示す１２セグ音声特徴データの管理テーブルでは、昇順に割り当てた区間Ｎｏごとに、無音区間長と無音区間インターバルとを管理する。無音区間長は、１２セグ音声無音区間管理テーブルＴａｂｌｅ（ａ）の対応する区間Ｎｏにおける、無音区間の終了時刻および無音区間の開始時刻の差分情報から算出される。無音区間インターバルは、１２セグ音声無音区間管理テーブルＴａｂｌｅ（ａ）の対応する区間Ｎｏ＋１における、無音区間の開始時刻および区間Ｎｏの無音区間の終了時刻の差分情報から算出される。
【００４４】
このように生成された図３のＴａｂｌｅ（ｃ）に示す１２セグ音声特徴データの管理テーブルのデータが、第１音声データ特徴抽出部６０より１２セグ音声特徴データとして出力される。
【００４５】
一方、図３に示すＴａｂｌｅ（ｄ）は、図３に示すＴａｂｌｅ（ｂ）より生成した１セグ音声特徴データである。また、Ｔａｂｌｅ（ｄ）は、１セグ音声特徴データに含まれる
１セグの音声無音区長と音声無音区間インターバルとを管理する１セグ音声特徴データの管理テーブルでもある。図３に示すＴａｂｌｅ（ｄ）の生成方法、および１セグ音声特徴データの管理テーブルで管理する情報は、上述の１２セグ音声特徴データの管理テーブルと場合と同様であるので、説明を省略する。
【００４６】
このように生成された図３のＴａｂｌｅ（ｄ）に示す１セグ音声特徴データの管理テーブルのデータが、第２音声データ特徴抽出部７０より１セグ音声特徴データとして出力される。
【００４７】
次に、サイマル放送判定部８０で行うサイマル放送の判定方法について説明する。
サイマル放送の判定は、第１音声データ特徴抽出部６０より出力された１２セグ音声特徴データの管理テーブル（データ）と、第２音声データ特徴抽出部７０より出力された１セグ音声特徴データの管理テーブル（データ）とを用いて行う。
【００４８】
図４は、サイマル放送判定部で行うサイマル放送の判定方法について説明するための図である。図４では、具体的な判定方法を示している。すなわち、サイマル放送判定部８０では、１セグ音声特徴データおよび１２セグ音声特徴データを管理する各管理テーブルの区間Ｎｏごとに、それぞれ無音区間長と無音区間インターバルとを比較する。そして、サイマル放送判定部８０は、１セグ音声特徴データおよび１２セグ音声特徴データを管理する管理テーブルに含まれる全ての区間Ｎｏに対して、一致することが確認できた場合のみ、サイマル放送と判定する。
【００４９】
このように、音声特徴データを比較した類似度に基づき、サイマル放送か否かを判定する。
【００５０】
なお、サイマル放送判定方法に関しては、音声特徴データの類似を比較する具体的な方法として、この方法以外の方法で判定しても構わない。
【００５１】
次に、音声データ出力制御部１０１において、出力対象とする音声データの選択方法の一例を説明する。
【００５２】
図５は、音声データ出力制御部における処理を説明するためのフローチャートである。
最初に、音声データ出力制御部１０１は、視聴対象選択部９０から出力された視聴対象切替情報を取得する。そして、音声データ出力制御部１０１は、取得した視聴対象切替情報から１２セグ用音声データから１セグ用音声データ、または、１セグ用音声データから１２セグ用音声データへの切替要求が発生しているかを判定する（Ｓ１０）。
【００５３】
ここで、Ｓ１０での判定方法の一例を示す。すなわち、放送受信装置２００においてある記憶領域に音声データ出力対象記憶領域を確保しておき、現在出力対象としている音声データが１セグ用音声データの場合は「０」と、１２セグ用音声データの場合は「１」と記録することとする。また、視聴対象選択部９０から出力された視聴対象切替情報も、この２値で表現することとする。その場合、Ｓ１０では、音声データ出力対象記憶領域の値と、視聴対象選択部９０から出力される視聴対象切替情報の値とが不一致の場合は、視聴対象の切替が発生と判定してＳ１１に進み、一致の場合は処理を終了する。
【００５４】
次に、音声データ出力制御部１０１は、切替要求が発生していると判定した場合、サイマル放送判定部８０から出力されたサイマル有無情報を用いて、サイマル放送状態であるか判定する（Ｓ１１）。切替要求の発生がないと判定した場合には、処理は終了する。
【００５５】
ここで、Ｓ１１での判定方法の一例を示す。すなわち、サイマル有無情報は、サイマル放送判定部８０でサイマル状態と判定した場合には「１」、サイマル状態でないと判定した場合には「０」を出力することとする。その場合、この２値情報より、サイマル放送判定部８０からの出力で「１」を取得した場合には、Ｓ１０で取得した視聴対象切替情報の値を視聴対象選択部９０から出力された視聴対象切替情報の値で上書き処理後、Ｓ１２に進む。また、サイマル放送判定部８０からの出力で「０」を取得した場合には処理を終了する。
【００５６】
なお、サイマル放送判定部８０が出力するサイマル有無情報を出力する処理については、後述するのでここでは説明を省略する。
【００５７】
次に、音声データ出力制御部１０１は、Ｓ１１でサイマル放送状態であると判定した場合、切替先対象の放送が１２セグ放送か１セグ放送かを特定する（Ｓ１２）。
【００５８】
ここで、Ｓ１２での特定方法の一例を示す。すなわち、音声データ出力制御部１０１は、Ｓ１１で取得した視聴対象切替情報にしたがって特定し、視聴対象切替情報が「１」の場合には、Ｓ１２に進み、視聴対象切替情報が「０」の場合には、Ｓ１３に進む。
【００５９】
音声データ出力制御部１０１は、切替先対象の放送が１２セグ放送であると特定した場合、１２セグ音声データ出力への切り替え処理を行う（Ｓ１３）。
【００６０】
Ｓ１３におけるこの切り替え処理は、音声データ出力制御部１０１から外部に接続されるスピーカなどの機器に対して出力する音声データを切り替える処理である。
【００６１】
具体的には、まず、１２セグ用オーディオデコーダ５１から出力された１２セグ用音声データと、１セグ用オーディオデコーダ５２から出力された１セグ用音声データとの両方が音声データ出力制御部１０１に入力される。次いで、音声データ出力制御部１０１は、そのように入力された状態で、従来出力していた１セグ用音声データの出力を停止し、代わりに１２セグ用音声データのみ出力する処理を行うことでＳ１３における切り替え処理を行う。次いで、音声データ出力制御部１０１から出力する音声データを１２セグ用音声データに切り替えた後は、Ｓ１５に進む。なお、１セグ用音声データの出力を停止から１２セグ用音声データの出力を開始するという手順は、この方法以外の方法であっても構わない。
【００６２】
また、音声データ出力制御部１０１は、切替先対象の放送が１セグ放送である特定した場合、１セグ音声データ出力への切り替え処理を行う（Ｓ１４）。
【００６３】
Ｓ１４におけるこの切り替え処理は、音声データ出力制御部１０１が、従来出力していた１２セグ用の音声データの出力を停止し、代わりに１セグ用の音声データのみ出力する処理である。そして、音声データ出力制御部１０１から出力する音声データを１セグ用音声データに切り替えた後は、Ｓ１５に進む。
【００６４】
なお、１２セグ用音声データの出力を停止から１セグ用音声データの出力を開始するという手順は、この方法以外の方法であっても構わない。
【００６５】
次に、音声データ出力制御部１０１は、放送切替発生情報の生成を行う（Ｓ１５）。
この放送切替発生情報の生成は、映像データ出力制御を行うための情報を生成する処理である。そして、映像データ出力制御を行うための情報は、映像データ出力制御部１０２に伝達する目的で生成される。その映像データ出力制御を行うための情報には、サイマル放送判定部８０から出力されたサイマル有無情報と、視聴対象選択部９０から出力された視聴対象切替情報の情報とから視聴対象切り替えが発生したことが含まれる。また、音声データの出力が１２セグ用音声データから１セグ用音声データに切り替えられたこと、または、１セグ用音声データから１２セグ用音声データに切り替えられたことが含まれる。
【００６６】
ここで、Ｓ１４での放送切替発生情報の生成方法の一例を示す。すなわち、出力対象の音声データが１セグ用音声データの場合は「０」、１２セグ用音声データの場合は「１」と２値で表現することとし、いずれかを映像データ出力制御部１０２に出力する。
【００６７】
以上のようにして、音声データ出力制御部１０１は処理を行う。
なお、図５の処理は、説明を簡単にするために、ある時点での出力対象音声を判定し、必要に応じた出力音声を切り替える処理として説明している。しかし、実際には、音声データ出力制御部１０１からの視聴対象切替情報を絶えず、または一定周期で監視する必要があり、監視する必要がある時点で図５の処理を行う。
【００６８】
また、音声データ出力制御部１０１における、出力音声選択方法については、サイマル放送の有無を判定した結果が反映されていれば、図５に示したフローチャートの方法以外の方法であっても構わない。
【００６９】
次に、Ｓ１５におけるサイマル放送状態であるか判定する処理の１例を説明する。
図６は、サイマル放送判定部がサイマル有無情報を出力するまでの処理の１例を説明するためのフローチャートである。
【００７０】
最初に、サイマル放送判定部８０は、１セグと１２セグとの音声特徴データを比較する（Ｓ１１０）。すなわち、サイマル放送判定部８０は、第１音声データ特徴抽出部６０から入力された１２セグ音声特徴データと、第２音声データ特徴抽出部７０から入力された１セグ音声特徴データとを比較する。
【００７１】
次に、サイマル放送判定部８０は、１２セグと１セグとの音声特徴データが類似するか否かを判定する（Ｓ１１１）。
【００７２】
サイマル放送判定部８０は、１２セグと１セグとの音声特徴データが類似する場合（Ｓ１１１のＹＥＳの場合）、サイマル放送である（サイマル有）と判定する。なお、サイマル放送判定部８０は、１２セグと１セグとの音声特徴データが類似しない場合（Ｓ１１１のＮＯの場合）、サイマル放送ではない（サイマル無）と判定する。
【００７３】
ここで、Ｓ１１１での判定方法の一例（図４の例）を示す。すなわち、サイマル放送判定部８０では、１セグ音声特徴データおよび１２セグ音声特徴データを管理する各管理テーブルの区間Ｎｏごとに、それぞれ無音区間長と無音区間インターバルとを比較する。そして、サイマル放送判定部８０は、１セグ音声特徴データおよび１２セグ音声特徴データを管理する管理テーブルに含まれる全ての区間Ｎｏに対して、一致することが確認できた場合のみ、サイマル放送と判定する。
【００７４】
なお、Ｓ１１１での判定方法に関して、音声特徴データの類似を比較する方法ならば、この方法以外の方法で判定しても構わない。例えば、１２セグと１セグとの音声特徴データの類似度が、一致まででなくても、予め定めた基準値よりも高ければ、サイマル放送と判定してもよい。また、例えば、音声特徴データの類似度として、無音区間インターバルにおける音声データまたは波形データの類似度からサイマル放送か否かを判定してもよい。また、無音区間インターバルは、有音区間でもあるので、無音区間インターバルにおける音声データまたは音声波形データの類似度の程度を示す有音区間類似度情報をさらに取得して、有音区間類似度情報に基づき、サイマル放送であるか否かを判定してもよい。
【００７５】
次に、サイマル放送判定部８０は、Ｓ１１１の判定結果をサイマル有無情報として出力する（Ｓ１１４）。
【００７６】
以上のようにして、サイマル放送判定部８０は、サイマル有無情報を出力する処理を行う。
【００７７】
ここで、Ｓ１１０における１セグと１２セグの音声特徴データの算出方法について説明する。
【００７８】
図７は、第１音声データ特徴抽出部が１２セグの音声特徴データを出力までの処理の１例を説明するためのフローチャートである。
【００７９】
最初、第１音声データ特徴抽出部６０は、１２セグ用オーディオデコーダ５１でデコードされた１２セグ音声データの状態を監視している（Ｓ１１００）。
【００８０】
次に、第１音声データ特徴抽出部６０は、１２セグ用音声データが無音状態であるかどうかを判定する（Ｓ１１０１）。なお、無音状態ではない（有音状態）であると判定する場合には（Ｓ１１０１のＮＯの場合）、Ｓ１１００に戻る。
【００８１】
次いで、第１音声データ特徴抽出部６０は、１２セグ用音声データが無音状態であると判定した場合に、その音声データに含まれる無音区間の抽出を行う（Ｓ１１０２）。
【００８２】
次に、第１音声データ特徴抽出部６０は、抽出した無音区間の長さである無音区間長を算出する（Ｓ１１０３）。
【００８３】
そして、第１音声データ特徴抽出部６０は、抽出した無音区間の開始時刻とひとつ前に抽出した無音区間の終了時刻との差分を示す無音区間インターバルを算出する（Ｓ１１０４）。
【００８４】
次に、第１音声データ特徴抽出部６０は、Ｓ１１０３およびＳ１１０４で算出した結果である無音区間長と無音区間インターバルとを１２セグの音声特徴データのひとつとして、サイマル放送判定部８０に出力する（Ｓ１１０５）。
【００８５】
以上のようにして、第１音声データ特徴抽出部６０は、１２セグの音声特徴データを出力までの処理を行う。
【００８６】
なお、第２音声データ特徴抽出部７０が１セグの音声特徴データを出力するまでの処理は、図７と同様であるので、説明を省略する。
【００８７】
次に、映像データ出力制御部１０２において、出力対象とする映像データの選択方法の一例を説明する。
【００８８】
図８は、映像データ出力制御部における処理を説明するためのフローチャートである。
最初に、映像データ出力制御部１０２は、音声データ出力制御部１０１から出力された放送切替発生情報を取得する。そして、映像データ出力制御部１０２は、取得した放送切替発生情報から１２セグ用映像データから１セグ用映像データへの音声出力切替要求、または、１セグ用映像データから１２セグ用映像データへの音声出力切替要求が発生しているかを判定する（Ｓ２０）。
【００８９】
ここで、Ｓ２０での判定方法の一例を示す。すなわち、放送受信装置２００においてある記憶領域に映像データ出力対象記憶領域を確保しておき、現在出力対象としている映像データが１セグ用映像データの場合は「０」と、１２セグ用映像データの場合は「１」と記録することとする。また、音声データ出力制御部１０１から出力された視聴対象切替情報も、この２値で表現することとする。その場合、Ｓ２０では、映像データ出力対象記憶領域の値と、音声データ出力制御部１０１から出力される放送切替発生情報の値とが不一致の場合は、視聴対象の切替が発生と判定してＳ２１に進み、一致の場合は処理を終了する。
【００９０】
次に、映像データ出力制御部１０２は、Ｓ２０で音声出力切替要求が発生していると判定した場合、切替先対象の放送が１２セグ放送か１セグ放送かを特定する（Ｓ２１）。
【００９１】
ここで、Ｓ２１での特定方法の一例を示す。すなわち、音声データ出力制御部１０１から出力された放送切替発生情報にしたがって特定し、視聴対象切替情報が「１」の場合には、Ｓ２２に進み、視聴対象切替情報が「０」の場合には、Ｓ２３に進む。
【００９２】
映像データ出力制御部１０２は、切替先対象の放送が１２セグ放送であると特定した場合、１２セグ映像データ出力への切り替え処理を行う（Ｓ２２）。
【００９３】
Ｓ２２におけるこの切り替え処理は、映像データ出力制御部１０２から外部に接続されるモニタなどの機器に対して出力する映像データを切り替える処理である。
【００９４】
具体的には、まず、１２セグ用ビデオデコーダ５３から出力された１２セグ用映像データと、１セグ用ビデオデコーダ５４から出力された１セグ用映像データとの両方が映像データ出力制御部１０２に入力される。次いで、映像データ出力制御部１０２は、そのように入力された状態で、従来出力していた１セグ用映像データの出力を停止し、代わりに１２セグ用映像データのみ出力する処理を行うことでＳ２２における切り替え処理を行う。次いで、映像データ出力制御部１０２からの出力を１２セグ用映像データに切り替えた後は、処理を終了する。なお、１セグ用映像データの出力を停止から１２セグ用映像データの出力を開始するという手順は、この方法以外の方法であっても構わない。
【００９５】
また、映像データ出力制御部１０２は、切替先対象の放送が１セグ放送であると特定した場合、１セグ映像データ出力への切り替え処理を行う（Ｓ２３）。
【００９６】
Ｓ２３におけるこの切り替え処理は、映像データ出力制御部１０２が、従来出力していた１２セグ用の映像データの出力を停止し、代わりに１セグ用の映像データのみ出力する処理である。そして、映像データ出力制御部１０２からの出力を１セグ用の映像データに切り替えた後は、処理を終了する。なお、１２セグ用映像データの出力を停止から１セグ用映像データの出力を開始するという手順は、この方法以外の方法であっても構わない。
【００９７】
以上のようにして、映像データ出力制御部１０２は処理を行う。
以上のように、実施の形態１に示す放送受信装置２００では、１２セグと１セグとの音声特徴データが類似するか否かに従い、サイマル放送状態であるかを判定する。そのため、例えばＴＭＣＣ信号にサイマル放送の実施状況を示す情報を設定しないでサイマル放送を行わない放送局がある場合であっても、１２セグ放送と１セグ放送がサイマル放送に該当するか否かを判定することができる。また、無音状態が継続されるサイマル放送状態であったとしても、サイマル放送に該当する場合には、確実にサイマル放送であることを判定することができ、１２セグ放送から１セグ放送へ、あるいは、１セグ放送と１２セグ放送へと視聴対象を切り替えることができる。
【００９８】
以上のように、本発明では、サイマル放送であるか否かをより確実に判定することができる放送受信装置および放送受信回路を実現することができる。
【００９９】
（実施の形態２）
次に、実施の形態２では、実施の形態１の構成を用いて、サイマル放送状態の１２セグ放送から１セグ放送への視聴切り替えを行う際に、両者の時間のズレを考慮して視聴者に違和感なく１２セグ放送から１セグ放送へ切り替える方法について説明する。
【０１００】
なお、本実施の形態を実現する構成は、実施の形態１の構成と同じであるため、説明を省略する。
【０１０１】
上述したように、現在日本国内で実施されているサイマル放送の運用では、１２セグ放送と１セグ放送との放送時間にズレがある。
【０１０２】
そして、サイマル放送状態の１２セグ放送から１セグ放送間の放送時間のズレは、サイマル放送の該当有無を判定する過程（例えば図３）で生成した無音区間終了時刻と無音区間開始時刻との差分情報として抽出可能である。
【０１０３】
図９は、１２セグ放送と１セグ放送との間での放送時間のズレを考慮した音声切り替え例を説明するための図である。
【０１０４】
図９に示すように、本実施の形態２では、１２セグ音声出力時に、１セグ音声出力へと視聴を切り替える切り替え要求が発生した場合には、１セグ音声出力に即座に切り替えず、一旦音声を出力しないミュート状態を経た後、１セグ音声出力を開始する。その際のミュート期間は、無音区間インターバルを算出した際に抽出した１２セグ音声特徴データと１セグ音声特徴データとの無音区間開始時刻の差分で決定する。すなわち、算出したその差分の時間だけミュートしてから１セグ音声出力を開始するようにする。
【０１０５】
このような制御を行うことで、サイマル放送状態に該当すると判定して、同一内容の番組と認識して視聴対象の切り替えを行うだけでなく、１２セグ放送で既に出力された音声が、１セグ放送に切り替わった後にもう一度出力され、巻き戻ったように聞こえる現象を防ぐことが可能となる。
【０１０６】
なお、１セグ放送から１２セグ放送への切り替えについては、１セグ放送が１２セグ放送に対して、相対的に遅れて放送されているため、視聴対象切り替え要求が発生した場合には、すぐに切り替えを行ってもよい。また、１セグ放送から１２セグ放送のどちらか無音区間に入ったタイミングで切り替えを行っても構わない。
【０１０７】
また、本実施形態の派生として、音声出力を基準として、音声に対応する映像についても同じ映像が１２セグ放送と１セグ放送とで２回表示される巻き戻りを防ぐことで、１２セグ放送から１セグ放送に切り替わった際の視聴者の違和感をより解消することも可能となる。
【０１０８】
以上、実施の形態２によれば、サイマル放送であるか否かをより確実に判定することができる放送受信装置および放送受信回路を実現することができる。さらに、１２セグ放送から１セグ放送に切り替わった際にミュート処理を行うことで視聴者の違和感を解消することができる。
【０１０９】
なお、実施の形態１および実施の形態２では、日本の地上デジタルテレビ放送において、サイマル放送であるか否かをより確実に判定する放送受信装置および放送受信回路について説明したが、それに限らない。海外でも、テレビ放送規格にサーマルキャスト方式が採用された場合には、本発明の範囲内に含まれる。
【０１１０】
以上、本発明の放送受信装置および放送受信回路について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１１１】
本発明は、放送受信回路および放送受信装置に利用でき、特に、デジタル放送等での特定チャンネルにおける１２セグ放送と１セグ放送とを切り替えて視聴することができる放送受信回路および放送受信装置に利用することができる。
【図面の簡単な説明】
【０１１２】
【図１】本発明に係る放送受信装置の構成の構成を示すブロック図である。
【図２】音声波形から音声特徴データを抽出する概念を説明するための図である。
【図３】抽出した無音区間から音声特徴データを生成する方法について説明するための図である。
【図４】サイマル放送判定部で行うサイマル放送の判定方法について説明するための図である。
【図５】音声データ出力制御部における処理を説明するためのフローチャートである。
【図６】サイマル放送判定部がサイマル有無情報を出力するまでの処理を説明するためのフローチャートである。
【図７】第１音声データ特徴抽出部が１２セグの音声特徴データを出力までの処理を説明するためのフローチャートである。
【図８】映像データ出力制御部における処理を説明するためのフローチャートである。
【図９】１２セグ放送と１セグ放送との間での放送時間のズレを考慮した音声切り替え例を説明するための図である。
【符号の説明】
【０１１３】
１０  テレビ放送受信アンテナ
２０  チューナ／復調部
３０  トランスポートデコーダ
４０  デマルチプレクサ
５０  ＡＶデコーダ
５１  １２セグ用オーディオデコーダ
５２  １セグ用オーディオデコーダ
５３  １２セグ用ビデオデコーダ
５４  １セグ用ビデオデコーダ
６０  第１音声データ特徴抽出部
７０  第２音声データ特徴抽出部
８０  サイマル放送判定部
９０  視聴対象選択部
１００  視聴切替制御部
１０１  音声データ出力制御部
１０２  映像データ出力制御部
２００  放送受信装置
【図１】
2010114777.tif 000003
【図２】
2010114777.tif 000004
【図３】
2010114777.tif 000005
【図４】
2010114777.tif 000006
【図５】
2010114777.tif 000007
【図６】
2010114777.tif 000008
【図７】
2010114777.tif 000009
【図８】
2010114777.tif 000010
【図９】
2010114777.tif 000011